【事件の表示】
　上記当事者間の特許第５４３００５１号発明「インク組成物、インクジェット記録方法、平版印刷版の製造方法、及び平版印刷版」の特許無効審判事件について、次のとおり審決する。
【結　論】
　請求のとおり訂正を認める。
　本件審判の請求は、成り立たない。
　審判費用は、請求人の負担とする。
【理　由】
第１　手続の経緯等 
　
　１　本件審判に係る特許
　本件審判は、被請求人である富士フイルム株式会社が所有する特許番号第５４３００５１号の特許権に係る特許（以下、「本件特許」という。）を無効にすることについて、請求人である松野知紘より請求されたものであって、その特許は、発明の名称を「インク組成物、インクジェット記録方法、平版印刷版の製造方法、及び平版印刷版」とし、平成１７年１２月２８日に特願２００５−３８００３３号として出願され、その後審査及び拒絶査定不服審判を経て、平成２５年１２月１３日に請求項数１５として特許権の設定登録がなされたものである。
　
　２　本件審判における手続の経緯
　本件審判は、平成２７年１月１９日に上記請求人より請求され（なお、本件審判の請求がされた請求項は、請求項１ないし１５のうちの、請求項１ないし１２であり、請求項１３ないし１５については請求がされていない。）、その後、同年２月２４日に請求人より審判請求書についての手続補正書が提出され、同年５月７日に上記被請求人より審判事件答弁書が提出されるとともに訂正請求書が提出され明細書及び特許請求の範囲についての訂正請求（以下、「本件訂正」という。）がなされ、同年５月２９日に請求人より審判事件弁駁書が提出され、同年７月１０日に請求人より上申書が提出され、同年８月２４日及び同年９月３日に被請求人より上申書が提出されたものである。
　上記の事実を本件特許の設定登録に至る経緯とともに時系列的に整理すると、次のとおりである。
　　平成１７年１２月２８日　　　特許出願
　　平成２５年１２月１３日　　　特許権の設定登録＜本件特許＞
　　平成２７年　１月１９日　　　本件無効審判請求（請求人）　
　　　　　同年　２月２４日　　　手続補正書提出（請求人）　
　　　　　同年　５月　７日　　　審判事件答弁書・訂正請求書提出（被請　　　　　　　　　　　　　　　　求人）＜本件訂正＞
　　　　　同年　５月２９日　　　審判事件弁駁書提出（請求人）　
　　　　　同年　７月１０日　　　上申書提出（請求人）
　　　　　同年　８月２４日　　　上申書提出（被請求人）
　　　　　同年　９月　３日　　　上申書提出（被請求人）
第２　特許請求の範囲の記載
　１　設定登録時の特許請求の範囲
　本件特許の設定登録時、すなわち上記本件訂正前の、願書に添付した特許請求の範囲の記載は、次のとおりである（以下、本件訂正前の願書に添付した明細書、特許請求の範囲及び図面を併せて「本件特許明細書等」という。）。
「【請求項１】
　（Ａ）重合開始剤と、
　（Ｂ）下記（Ｂ−２）で示す１，３−ジオキサン環骨格を有する（メタ）アクリル酸のエステルと、
　（Ｃ）着色剤と、
　（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物と、
を含有し、温度２５℃〜５０℃における粘度が、７ｍＰａ・ｓ〜３０ｍＰａ・ｓであることを特徴とするインクジェット記録用インク組成物。
【化１】
【請求項２】
　さらに、有機溶剤を０．１質量％〜３質量％含有する、請求項１に記載のインク組成物。
【請求項３】
　前記（Ｂ）１，３−ジオキサン環骨格を有する（メタ）アクリル酸のエステルの含有量が３質量％〜３５質量％である、請求項１又は請求項２に記載のインク組成物。
【請求項４】
　インク組成物中に含まれる全重合性化合物の総含有量に対する、前記（Ｂ）１，３−ジオキサン環骨格を有する（メタ）アクリル酸のエステルの含有量が７質量％以上である、請求項１〜請求項３のいずれか１項に記載のインク組成物。
【請求項５】
　前記（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物が、モノアクリレート及び分子量４００以上の多官能アクリレートモノマーから選ばれた化合物である、請求項１〜請求項４のいずれか１項に記載のインク組成物。
【請求項６】
　前記（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物として、モノアクリレートと、分子量４００以上の多官能アクリレートモノマーとを含むか、又は、モノアクリレートと、多官能アクリレートオリゴマーと、を含む、請求項１〜請求項５のいずれか１項に記載のインク組成物。
【請求項７】
　表面張力が、２０ｍＮ/ｍ〜３０ｍＮ/ｍの範囲にある、請求項１〜請求項６のいずれか１項に記載のインク組成物。
【請求項８】
　さらに、（Ｅ）増感色素を含有する、請求項１〜請求項７のいずれか１項に記載のインク組成物。
【請求項９】
　前記（Ａ）重合開始剤が、前記（Ｅ）増感色素に対して、重合開始剤：増感色素の質量比で２００：１〜１：２００の範囲で含まれる、請求項８に記載のインク組成物。
【請求項１０】
　さらに、重合禁止剤を含有する、請求項１〜請求項９のいずれか１項に記載のインク組成物。
【請求項１１】
　前記（Ａ）重合開始剤が、アシルホスフィンオキシド化合物及び芳香族ケトン類から選ばれる少なくとも１種である、請求項１〜請求項１０のいずれか１項に記載のインク組成物。
【請求項１２】
　前記（Ａ）重合開始剤が、アシルホスフィンオキシド化合物である、請求項１〜請求項１１のいずれか１項に記載のインク組成物。
【請求項１３】
　（ｉ）被記録媒体上に、請求項１〜請求項１２のいずれか１項に記載のインク組成物を吐出する工程、及び、
　（ｉｉ）吐出されたインク組成物に活性放射線を照射して、該インク組成物を硬化する工程、
を含むインクジェット記録方法。
【請求項１４】
　（Ｉ）親水性支持体上に、請求項１〜請求項１２のいずれか１項に記載のインク組成物を吐出する工程、及び、
　（II）吐出されたインク組成物に活性放射線を照射して、該インク組成物を硬化させる
ことにより、該インク組成物が硬化してなる疎水性画像領域を該親水性支持体上に形成する工程、
を含む平版印刷版の製造方法。
【請求項１５】
　請求項１４に記載の平版印刷版の製造方法によって製造された平版印刷版。」
　２　本件訂正後の特許請求の範囲
　本件特許の本件訂正後の特許請求の範囲の記載は、次のとおりである（訂正部分には、下線を付した。以下、本件訂正後の請求項１ないし１５に記載された発明を項番順に「本件発明１」、「本件発明２」などといい、総じて「本件発明」ということがある。また、本件訂正後の明細書、特許請求の範囲及び図面を併せて「本件訂正明細書等」という。）。
「【請求項１】
　（Ａ）
ラジカル
　（Ｂ）下記（Ｂ−２）で示す１，３−ジオキサン環骨格を有する（メタ）アクリル酸のエステルと、
　（Ｃ）着色剤と、
　（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物と、
を含有し、
前記（Ｂ）１，３−ジオキサン環骨格を有する（メタ）アクリル酸のエステルの含有量が、インク組成物全体の質量に対して、３〜３５質量％の範囲であり、
（但し、前記（Ｂ）１，３−ジオキサン環骨格を有する（メタ）アクリル酸のエステルの含有量が前記（Ｄ−１）他の重合性化合物の含有量より多い場合を除く）
【化１】
【請求項２】
　さらに、有機溶剤を０．１質量％〜３質量％含有する、請求項１に記載のインク組成物。
【請求項３】
　前記（Ｂ）１，３−ジオキサン環骨格を有する（メタ）アクリル酸のエステルの含有量が３質量％〜３５質量％である、請求項１又は請求項２に記載のインク組成物。
【請求項４】
　インク組成物中に含まれる全重合性化合物の総含有量に対する、前記（Ｂ）１，３−ジオキサン環骨格を有する（メタ）アクリル酸のエステルの含有量が７質量％以上である、請求項１〜請求項３のいずれか１項に記載のインク組成物。
【請求項５】
　前記（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物が、モノアクリレート及び分子量４００以上の多官能アクリレートモノマーから選ばれた化合物である、請求項１〜請求項４のいずれか１項に記載のインク組成物。
【請求項６】
　前記（Ｄ−１）（メタ）アクリル系モノマー及び（メタ）アクリル系プレポリマーから選ばれた前記（Ｂ）１，３−ジオキサン環骨格を有する（メタ）アクリル酸のエステルとは構造の異なる他の重合性化合物として、モノアクリレートと、分子量４００以上の多官能アクリレートモノマーとを含むか、又は、モノアクリレートと、多官能アクリレートオリゴマーと、を含む、請求項１〜請求項５のいずれか１項に記載のインク組成物。
【請求項７】
　表面張力が、２０ｍＮ/ｍ〜３０ｍＮ/ｍの範囲にある、請求項１〜請求項６のいずれか１項に記載のインク組成物。
【請求項８】
　さらに、（Ｅ）増感色素を含有する、請求項１〜請求項７のいずれか１項に記載のインク組成物。
【請求項９】
　前記（Ａ）
ラジカル
ラジカル
【請求項１０】
　さらに、重合禁止剤を含有する、請求項１〜請求項９のいずれか１項に記載のインク組成物。
【請求項１１】
　前記（Ａ）
ラジカル
【請求項１２】
　前記（Ａ）
ラジカル
【請求項１３】
　（ｉ）被記録媒体上に、請求項１〜請求項１２のいずれか１項に記載のインク組成物を吐出する工程、及び、
　（ｉｉ）吐出されたインク組成物に活性放射線を照射して、該インク組成物を硬化する工程、
を含むインクジェット記録方法。
【請求項１４】
　（Ｉ）親水性支持体上に、請求項１〜請求項１２のいずれか１項に記載のインク組成物を吐出する工程、及び、
　（II）吐出されたインク組成物に活性放射線を照射して、該インク組成物を硬化させる
ことにより、該インク組成物が硬化してなる疎水性画像領域を該親水性支持体上に形成する工程、
を含む平版印刷版の製造方法。
【請求項１５】
　請求項１４に記載の平版印刷版の製造方法によって製造された平版印刷版。」
第３　本件訂正について
　被請求人は、平成２７年５月７日提出の訂正請求書により、本件特許明細書等についての訂正請求（訂正事項は、特許請求の範囲について６、明細書について２の合計８。以下、「訂正事項１」ないし「訂正事項８」という。）をしているので、はじめにこの訂正の適否について検討する。
　１　本件訂正の内容　
　
　本件訂正は、本件特許明細書等を、平成２７年５月７日提出の訂正請求書に添付した本件訂正明細書等のとおり、一群の請求項ごとに訂正することを求めるものであり、特許法第１３４条の２第３項及び同法同条第９項で準用する同法第１２６条第４項の規定に従うものである。
　そして、その具体的な訂正事項は次のとおりである。
　なお、下線は訂正箇所を示す。
　
　　(1) 訂正事項１
　特許請求の範囲の請求項１に「（Ａ）重合開始剤」とあるのを、「（Ａ）
ラジカル
　　(2) 訂正事項２
　特許請求の範囲の請求項１に「・・含有し、温度２５℃〜５０℃における・・」とあるのを、「・・含有し、
前記（Ｂ）１，３−ジオキサン環骨格を有する（メタ）アクリル酸のエステルの含有量が、インク組成物全体の質量に対して、３〜３５質量％の範囲であり、
　　(3) 訂正事項３
　特許請求の範囲の請求項１に「インクジェット記録用インク組成物。」とあるのを、「インクジェット記録用インク組成物
（但し、前記（Ｂ）１，３−ジオキサン環骨格を有する（メタ）アクリル酸のエステルの含有量が前記（Ｄ−１）他の重合性化合物の含有量より多い場合を除く）
　　(4) 訂正事項４
　特許請求の範囲の請求項９に「重合開始剤」とあるのを、「
ラジカル
　　(5) 訂正事項５
　特許請求の範囲の請求項１１に「重合開始剤」とあるのを、「
ラジカル
　　(6) 訂正事項６
　特許請求の範囲の請求項１２に「重合開始剤」とあるのを、「
ラジカル
　　(7) 訂正事項７
　本件特許明細書等の明細書の段落【０００７】を、次のように訂正する。
「本発明者らは鋭意検討を重ねた結果、インク組成物に特定の重合性化合物を使用することにより、高感度を維持したままインク硬化後の柔軟性が改良され、インク組成物の吐出性、粒子形状保持性、被記録媒体への密着性が高められたインク組成物が得られることを見出し、本発明を完成した。
　即ち、本発明のインクジェット記録用インク組成物は、（Ａ）
ラジカル
前記（Ｂ）１，３−ジオキサン環骨格を有する（メタ）アクリル酸のエステルの含有量が、インク組成物全体の質量に対して、３〜３５質量％の範囲であり、
但し、前記（Ｂ）１，３−ジオキサン環骨格を有する（メタ）アクリル酸のエステルの含有量が、前記（Ｄ−１）他の重合性化合物の含有量より多い場合を除く。
　　(8) 訂正事項８
　本件特許明細書等の明細書の段落【００１２】を、次のように訂正する。
「＜インク組成物＞
　本発明のインクジェット記録用インク組成物は、（Ａ）
ラジカル
前記（Ｂ）１，３−ジオキサン環骨格を有する（メタ）アクリル酸のエステルの含有量が、インク組成物全体の質量に対して、３〜３５質量％の範囲であり、
但し、前記（Ｂ）１，３−ジオギサン環骨格を有する（メタ）アクリル酸のエステルの含有量が前記（Ｄ−１）他の重合性化合物の含有量より多い場合を除く。
　本発明のインク組成物は、インクジェット記録用に使用される。
　以下、本発明のインク組成物に必須の成分について順次説明する。」
　　(9) 訂正事項１ないし６に係る請求項についての訂正について
　訂正事項１ないし３、訂正事項４、訂正事項５及び訂正事項６はそれぞれ、上記した請求項１、請求項９、請求項１１及び請求項１２についての直接の訂正に加え、間接的に、これら各請求項を引用する請求項についても同様に訂正するものである。
　特に、請求項１３ないし１５については、本件審判の請求がされていないが、いずれも上記請求項１、９、１１及び１２を直接又は間接的に引用するものであるから、訂正事項１ないし６は、上記と同様の訂正を、当該請求項１３ないし１５についても行うものである。
　２　本件訂正の適否に係る判断
　本件訂正に係る上記各訂正事項が、特許法第１３４条の２第１項ただし書各号に掲げる事項を目的とするものであるか否か（訂正の目的の適否）、同法同条第９項で準用する同法第１２６条第５項及び第６項の各規定に適合するものであるか否か（新規事項追加の有無・特許請求の範囲の実質上の拡張又は変更の存否）、さらに、本件審判が請求されていない請求項１３ないし１５についての訂正が、特許法第１３４条の２第９項において読み替えて準用する同法第１２６条第７項の規定に適合するものであるか否か（独立特許要件充足性）について以下検討する。
　　(1) 訂正の目的の適否
　　　ア　訂正事項１、４ないし６について
　訂正事項１、４ないし６は、本件特許明細書等の特許請求の範囲の請求項１、９、１１及び１２、並びにこれらの請求項が直接又は間接的に引用する請求項における「（Ａ）重合開始剤」を、「（Ａ）ラジカル重合開始剤」に限定するものであるから、特許法第１３４条の２第１項ただし書第１号に掲げる特許請求の範囲の減縮を目的とするものといえる。
　　　イ　訂正事項２について
　訂正事項２は、本件特許明細書等の特許請求の範囲の請求項１及びこれを直接又は間接的に引用する請求項における「（Ｂ）・・１，３−ジオキサン環骨格を有する（メタ）アクリル酸のエステル」の含有量を、「インク組成物全体の質量に対して、３〜３５質量％の範囲」に限定するものであるから、特許法第１３４条の２第１項ただし書第１号に掲げる特許請求の範囲の減縮を目的とするものといえる。
　　　ウ　訂正事項３について
　訂正事項３は、本件特許明細書等の特許請求の範囲の請求項１及びこれを直接又は間接的に引用する請求項における「（Ｂ）・・１，３−ジオキサン環骨格を有する（メタ）アクリル酸のエステル」と「（Ｄ−１）・・他の重合性化合物」との量的関係を限定するものであるから、特許法第１３４条の２第１項ただし書第１号に掲げる特許請求の範囲の減縮を目的とするものといえる。
　　　エ　訂正事項７、８について
　訂正事項７、８は、上記訂正事項１ないし６に係る特許請求の範囲の訂正に合わせて、明細書の記載を整合させるものであるから、特許法第１３４条の２第１項ただし書第３号に掲げる明瞭でない記載の釈明を目的とするものといえる。
　　(2) 新規事項追加の有無・特許請求の範囲の実質上の拡張又は変更の存否
　　　ア　訂正事項１、４ないし６について
　本件特許明細書等の明細書の段落【００２４】には、「本発明においてはラジカル重合開始剤を使用することが好ましい。」と記載されており、同段落【００２５】には、当該ラジカル重合開始剤の具体例が例示されているから、訂正事項１、４ないし６は、本件特許明細書等に記載した事項の範囲内での訂正であって、特許法第１３４条の２第９項で準用する第１２６条第５項の規定に適合するものである。
　また、訂正事項１、４ないし６は、重合開始剤を限定するものであり、実質上特許請求の範囲を拡張し、又は変更するものでないことは明らかであるから、特許法第１３４条の２第９項で準用する同法第１２６条第６項の規定に適合するものである。
　　　イ　訂正事項２について
　本件特許明細書等の明細書の段落【００２３】には、「（Ｂ）特定重合性化合物の含有量は、・・インク組成物全体の質量に対して、３〜３５質量％の範囲が好まし」いことが記載されており、ここで「（Ｂ）特定重合性化合物」と称されるものは、同段落【００１３】によると、「（Ｂ）（Ｂ−２）で示す１，３−ジオキサン環骨格を有する（メタ）アクリル酸のエステル」のことと理解できるから、訂正事項２は、本件特許明細書等に記載した事項の範囲内での訂正であり、特許法第１３４条の２第９項で準用する第１２６条第５項の規定に適合するものである。
　また、訂正事項２は、「（Ｂ）・・１，３−ジオキサン環骨格を有する（メタ）アクリル酸のエステル」の含有量を、「インク組成物全体の質量に対して、３〜３５質量％の範囲」に限定するものであり、実質上特許請求の範囲を拡張し、又は変更するものではないから、特許法第１３４条の２第９項で準用する第１２６条第６項の規定に適合するものである。
　　　ウ　訂正事項３について
　本件特許明細書等の明細書の段落【０１２２】以降に記載された各実施例には、いずれも成分（Ｂ）が成分（Ｄ−１）より少ない組成のインクジェット記録用インク組成物が記載されている。そして、訂正事項３は、当該実施例に照らし、成分（Ｂ）が成分（Ｄ−１）より多い組成のインクジェット記録用インク組成物を除くことを明示するものであるから、本件特許明細書等のすべての記載を総合することにより導かれる技術的事項との関係において、新たな技術的事項を導入するものであるとはいえない。
　したがって、訂正事項３は、本件特許明細書等に記載した事項の範囲内での訂正であり、特許法第１３４条の２第９項で準用する第１２６条第５項の規定に適合するものである。
　また、訂正事項３は、「（Ｂ）・・１，３−ジオキサン環骨格を有する（メタ）アクリル酸のエステル」と「（Ｄ−１）・・他の重合性化合物」との量的関係を限定するものであり、実質上特許請求の範囲を拡張し、又は変更するものではないから、特許法第１３４条の２第９項で準用する第１２６条第６項の規定に適合するものである。
　　　エ　訂正事項７、８について
　訂正事項７、８は、上記訂正事項１ないし６に係る特許請求の範囲の訂正に合わせて明細書の記載を整合させるものであり、当該訂正事項１ないし６と同様、本件特許明細書等に記載した事項の範囲内においてなされるものであって、実質上特許請求の範囲を拡張し、又は変更するものでもないから、特許法第１３４条の２第９項で準用する同法第１２６条第５項及び第６項の各規定に適合するものである。
　　(3) 独立特許要件充足性
　特許法第１３４条の２第９項における読み替えにより、同法同条同項にて準用する同法第１２６条第７項の規定が適用されるのは、特許無効審判の請求がされていない請求項に係る特許請求の範囲の減縮、誤記の訂正又は誤訳の訂正を目的とする訂正に限られる。
　これを本件に当てはめると、本件訂正は、上記「第３　１(9)」のとおり、訂正事項１ないし６に係る請求項についての訂正（いずれも特許請求の範囲の減縮を目的とする。）により、本件審判が請求されていない請求項１３ないし１５についても間接的に、訂正事項１ないし６と同様の訂正を行うものであり、その目的は、特許請求の範囲の減縮を目的とするものといえるから、当該請求項１３ないし１５に係る訂正については、特許法第１３４条の２第９項において読み替えて準用する同法第１２６条第７項の規定が適用されることとなる。
　そこで、特許請求の範囲の減縮を含む、本件訂正後の請求項１３ないし１５に係る発明、すなわち、本件発明１３ないし１５について、特許出願の際独立して特許を受けることができないものであるか否か（独立特許要件充足性）を検討すると、本件発明１３ないし１５について、請求人は無効理由を挙げておらず、当審は、これらの発明が特許出願の際独立して特許を受けることができないとする理由を発見しない。また、請求人も、本件発明１３ないし１５について、独立特許要件を充足しない、との主張はしていない。
　したがって、本件審判が請求されていない請求項１３ないし１５に係る訂正は、特許法第１３４条の２第９項において読み替えて準用する同法第１２６条第７項に規定する要件を充足するものである。
　３　本件訂正についてのまとめ（訂正請求に対する結論）
　以上のとおり、上記訂正事項１ないし８は、特許法第１３４条の２第１項ただし書第１号又は第３号に掲げる事項を目的とするものであり、かつ、同法同条第９項で準用する同法第１２６条第５項ないし第７項の規定にも適合するから、本件訂正を認める。
　
第４　本件発明
　
　上記「第３」のとおり本件訂正は認容されたので、本件特許第５４３００５１号の請求項１ないし１５に係る発明は、本件訂正明細書等の特許請求の範囲の請求項１ないし１５に記載されるとおりのもの、すなわち、上記「第２　２」に記載した「本件発明１」ないし「本件発明１５」である。
第５　請求人の主張の概要及び証拠方法
　
　１　請求人の主張の概要
　本件審判の請求の趣旨は次のとおりである。
「〔１〕　特許第５４３００５１号の特許請求の範囲における請求項１乃至請求項１２に記載された発明についての特許を無効とする、及び
〔２〕　本審判請求の費用は被請求人の負担とする、
　との審決を求める。」
　そして、請求人は、以下に示す無効理由１ないし５（審判請求書７、８頁「〔３〕　本件特許を無効とする理由の根拠」の項参照）をその根拠として挙げ、証拠方法として甲第１号証、甲第２号証、甲第２の１号証、甲第３号証ないし甲第６号証を審判請求書に添付して、甲第２の２号証を平成２７年２月２４日提出の手続補正書に添付して、それぞれ提出し、本件特許は、無効とすべきものである旨主張している。
　　(1) 無効理由１
　本件発明は、特許出願前に頒布された刊行物に記載された発明であり、特許法第２９条第１項第３号の規定に違反して特許されたものであるから、本件特許は、特許法第１２３条１項第２号により無効にされるべきものである。
　　(2) 無効理由２
　本件発明は、特許出願前に頒布された刊行物に記載された発明に基いて当業者が容易に発明をすることができたものであるから、特許法第２９条第２項の規定に違反して特許されたものであり、本件特許は、特許法第１２３条１項第２号により無効にされるべきものである。
　　(3) 無効理由３
　本件特許は、本件特許明細書等の明細書の発明の詳細な説明の記載が、経済産業省令で定めるところにより、当業者がその実施をすることができる程度に明確かつ十分に記載したものではないことから、特許法第３６条第４項第１号に規定する要件を満たしていない特許出願に対してなされたものであり、本件特許は、特許法第１２３条１項第４号により無効にされるべきものである。
　　(4) 無効理由４
　本件特許は、本件特許明細書等の特許請求の範囲の記載が、特許を受けようとする発明が発明の詳細な説明に記載したものではないことから、特許法第３６条第６項第１号に規定する要件を満たしていない特許出願に対してなされたものであり、本件特許は特許法第１２３条１項第４号により無効にされるべきものである。
　　(5) 無効理由５
　本件特許は、本件特許明細書等の特許請求の範囲の記載が、特許を受けようとする発明が明確ではないことから、特許法第３６条第６項第２号に規定する要件を満たしていない特許出願に対してなされたものであり、本件特許は特許法第１２３条１項第４号により無効にされるべきものである。
　２　証拠方法
　請求人が提出した証拠方法は次のとおりである。
　・甲第１号証　　：特表２００５−５３９３９１号公報
　・甲第２号証　　：国際公開第２００４／１０６４３７号
　・甲第２の１号証：特表２００７−５０７６１０号公報
　・甲第２の２号証：甲第２号証第４頁第７ないし１３行の日本語訳
　・甲第３号証　　：特開平９−１４３３９８号公報
　・甲第４号証　　：特開平９−１４３３９７号公報
　・甲第５号証　　：特開平６−３２９７３１号公報
　・甲第６号証　　：特開２００７−１７７１７４号公報
第６　被請求人の主張の概要及び証拠方法　
　これに対して、被請求人は、「本件審判請求は成り立たない、審判費用は請求人の負担とする、との審決を求める。」として、上記請求人が主張するいずれの無効理由によっても本件特許は無効とされるべきものでない旨主張し、審判事件答弁書に添付して、以下の乙第１号証ないし乙第３号証を証拠として提出している。
　・乙第１号証：長倉三郎ら編「岩波　理化学辞典　第５版」（１９９８年　　　　　　　　２月２０日第５版第１刷発行）、株式会社岩波書店発行、　　　　　　　　第１４２３頁右欄「ラジカル重合」の項
　・乙第２号証：大木道則ら編「化学大辞典」（２００１年６月１日第１版　　　　　　　　第６刷発行）、株式会社東京化学同人発行、第２４４２頁　　　　　　　　左欄「ラジカル重合」の項
　・乙第３号証：新村出編「広辞苑　第六版」（２００８年１月１１日第６　　　　　　　　版第１刷発行）、株式会社岩波書店発行、第８５３頁３段　　　　　　　　目「けい［系］」の項
　
第７　請求人による主張の撤回と被請求人による当該主張撤回の承諾
　１　請求人は、平成２７年７月１０日に上申書を提出し、次のように上申している。
　　(1) 請求人は、平成２７年５月７日付けで被請求人から提出された訂正請求書による訂正事項を全て容認する。
　　(2) 請求人は、審判合議体が当該訂正事項による訂正内容を容認し、本件審判の審理を終結させるとの心証形成に至るのであれば、請求人もこれ以上争うことは望まない。
　　(3) 従って、請求人は、審判合議体が上記訂正事項を容認し訂正内容を審決にて確定させるのであるなら、現在の特許無効理由は全て撤回する。
　２　被請求人は、平成２７年９月３日に上申書を提出し、次のように上申している。
　　(1) 被請求人は、審判合議体が平成２７年５月７日付け訂正請求書による訂正事項の内容を容認すること、及び請求人が現在の特許無効理由の全てを撤回することについて、異論はない。
第８　当審の判断
　
　上記「第３」のとおり、上記本件訂正は認容されたところ、上記「第７」のとおり、請求人は、本件訂正の認容を前提に、上記「第５」の主張を全て撤回する旨上申し、被請求人はこれを承諾しているので、当審は、両当事者の意向を踏まえ、上記「第５」に示した無効理由１ないし５に係る請求人の主張及び証拠方法については、審理の対象としない。
　したがって、本件特許を無効とする理由は見当たらない。
第９　むすび
　以上の検討のとおり、本件訂正を認める。そして、請求人の主張は全て撤回されたので、本件特許を無効とすることはできない。
　審判に関する費用については、特許法第１６９条第２項の規定で準用する民事訴訟法第６１条の規定により、請求人が負担すべきものとする。　
　よって、結論のとおり審決する。